(57)【要約】【課題】  第三者の操作を抑制でき、かつ、ユーザにとって使い勝手が良い情報処理装置を提供する。【解決手段】  ユーザが情報処理装置１の使用を終了するための操作を行うと、表示部１２は、予め設定されている複数種類の変更モードのいずれか１つを選択することをユーザに促す表示を実行する。ユーザは、複数種類の変更モードのいずれか１つを示す選択情報をタッチパネル１３に入力する。タッチパネル１３は、その選択情報を変更部１６ａに出力する。変更部１６ａは、その選択情報が示す変更モードで、記憶部１１が格納している登録認証情報を変更する。変更部１６ａは、その変更後の登録認証情報を表示部１２に表示させて、その変更後の登録認証情報をユーザに確認させる。【選択図】      図１
2006146660.tif 000002
【特許請求の範囲】
【請求項１】
認証を行う際に用いられる登録認証情報を複数格納する記憶部と、
予め設定されている複数種類の変更モードのいずれか１つを選択することをユーザに促す催促部と、
前記複数種類の変更モードのいずれか１つを示す選択情報を前記ユーザから受け付ける受付部と、
前記記憶部が格納している登録認証情報のうち認証に用いる登録認証情報を、前記受付部が受け付けた選択情報が示す変更モードに基づいて変更する変更部と、
ユーザから入力認証情報を受け付ける入力部と、
前記入力部が受け付けた入力認証情報と、前記変更部により変更された登録認証情報とが一致したときに、所定の処理を実行する処理実行部と、を含む情報処理装置。
【請求項２】
請求項１に記載の情報処理装置において、
前記複数種類の変更モードは、２種類の変更モードである、情報処理装置。
【請求項３】
請求項２に記載の情報処理装置において、
前記２種類の変更モードは、前記入力認証情報が前記登録認証情報と一致するごとに前記登録認証情報を変更する第１の変更モードと、時刻に応じて前記登録認証情報を変更する第２の変更モードである、情報処理装置。
【請求項４】
請求項１に記載の情報処理装置において、
前記複数種類の変更モードは、３種類の変更モードである、情報処理装置。
【請求項５】
請求項４に記載の情報処理装置において、
前記３種類の変更モードは、前記入力認証情報が前記登録認証情報と一致するごとに前記登録認証情報を変更する第１の変更モードと、時刻に応じて前記登録認証情報を変更する第２の変更モードと、場所に応じて前記登録認証情報を変更する第３の変更モードである、情報処理装置。
【請求項６】
請求項１ないし５のいずれか１項に記載の情報処理装置において、
前記入力部は、タッチパネルであり、
前記登録認証情報は、前記タッチパネル上の予め定められた複数の領域を予め定められた順番でタッチすることを示し、
前記タッチパネルは、前記入力認証情報として、前記ユーザによる前記タッチパネルのタッチ操作を受け付ける、情報処理装置。
【請求項７】
請求項６に記載の情報処理装置において、
前記記憶部は、前記変更モードごとに、前記タッチパネル上の予め定められた複数の領域を予め定められた順番でタッチすることを示す複数の登録認証情報を格納し、
前記変更部は、前記受付部が前記選択情報を受け付けると、その受け付けた選択情報が示す変更モードに応じた複数の登録認証情報の中から認証に用いる登録認証情報を選定し、
前記タッチパネル上にユーザが操作可能な設定用表示部を表示し、その設定用表示部の移動履歴を前記登録認証情報として前記記憶部に格納する候補設定部をさらに含む、情報処理装置。
【請求項８】
認証を行う際に用いられる登録認証情報を複数格納する記憶部を有する情報処理装置が行う登録認証情報設定方法であって、
予め設定されている複数種類の変更モードのいずれか１つを選択することをユーザに促す催促ステップと、
前記複数種類の変更モードのいずれか１つを示す選択情報を前記ユーザから受け付ける受付ステップと、
前記記憶部が格納している登録認証情報のうち、認証に用いる登録認証情報を前記受付部が受け付けた選択情報が示す変更モードに基づいて変更する変更ステップと、
ユーザから入力認証情報を受け付ける入力ステップと、
前記入力認証情報と前記変更された登録認証情報とが一致したときに、所定の処理を実行する処理実行ステップと、を含む登録認証情報設定方法。
【請求項９】
請求項８に記載の登録認証情報設定方法において、
前記複数種類の変更モードは、２種類の変更モードである、登録認証情報設定方法。
【請求項１０】
請求項９に記載の登録認証情報設定方法において、
前記２種類の変更モードは、前記入力認証情報が前記登録認証情報と一致するごとに前記登録認証情報を変更する第１の変更モードと、時刻に応じて前記登録認証情報を変更する第２の変更モードである、登録認証情報設定方法。
【請求項１１】
請求項８に記載の登録認証情報設定方法において、
前記複数種類の変更モードは、３種類の変更モードである、登録認証情報設定方法。
【請求項１２】
請求項１１に記載の登録認証情報設定方法において、
前記３種類の変更モードは、前記入力認証情報が前記登録認証情報と一致するごとに前記登録認証情報を変更する第１の変更モードと、時刻に応じて前記登録認証情報を変更する第２の変更モードと、場所に応じて前記登録認証情報を変更する第３の変更モードである、登録認証情報設定方法。
【請求項１３】
請求項８ないし１２のいずれか１項に記載の登録認証情報設定方法において、
前記入力ステップは、タッチパネルによって実行され、
前記登録認証情報は、前記タッチパネル上の予め定められた複数の領域を予め定められた順番でタッチすることを示し、
前記入力ステップは、前記入力認証情報として、前記ユーザによる前記タッチパネルのタッチ操作を受け付ける、登録認証情報設定方法。
【請求項１４】
請求項１３に記載の登録認証情報設定方法において、
前記記憶部は、前記変更モードごとに、前記タッチパネル上の予め定められた複数の領域を予め定められた順番でタッチすることを示す複数の登録認証情報を格納し、
前記変更ステップは、前記選択情報が受け付けられると、その受け付けられた選択情報が示す変更モードに応じた複数の登録認証情報の中から認証に用いる登録認証情報を選定し、
前記タッチパネル上にユーザが操作可能な設定用表示部を表示し、その設定用表示部の移動履歴を、前記登録認証情報候補として、前記記憶部に格納する候補設定ステップをさらに含む、登録認証情報設定方法。
【発明の詳細な説明】
【技術分野】
【０００１】
本発明は、情報処理装置および登録認証情報設定方法に関し、特には、第三者の操作を抑制できる情報処理装置およびその登録認証情報設定方法に関する。
【背景技術】
【０００２】
従来、パスワード等の認証情報を利用して、第三者の操作を抑制できる情報処理装置が知られている。
【０００３】
特許文献１（特開２０００−３４７７６０号公報）および特許文献２（特開２００１−３５０５３６号公報）には、タッチパネルを複数の領域に分け、予め定められた複数の領域をユーザが所定の順序でタッチすると、所定の画面を起動する情報処理装置が記載されている。この場合、予め定められた複数の領域を所定に順序でタッチすることがパスワードに相当する。
【０００４】
また、特許文献３（特開２００３−９１５０５号公報）、特許文献４（特開平６−２５９３８１号公報）および特許文献５（特開２００１−３０６１７３号公報）には、パスワードを自動的に変更する情報処理装置が記載されている。
【０００５】
特許文献３に記載の情報処理装置は、利用者がアクセスするたびに、次回利用するためのパスワードを生成し、その生成したパスワードを利用者に送信する。特許文献４に記載の情報処理装置は、時刻に応じてパスワードを変更する。特許文献５に記載の情報処理装置は、場所に応じてパスワードを変化する。
【特許文献１】特開２０００−３４７７６０号公報
【特許文献２】特開２００１−３５０５３６号公報
【特許文献３】特開２００３−９１５０５号公報
【特許文献４】特開平６−２５９３８１号公報
【特許文献５】特開２００１−３０６１７３号公報
【発明の開示】
【発明が解決しようとする課題】
【０００６】
特許文献１および特許文献２に記載の情報処理装置では、ユーザの入力手順が一度でも第三者に盗み見られると、その第三者はその情報処理装置を不正に使用することが可能になるという問題が生じる。なお、この問題は、特許文献１および特許文献２に記載の情報処理装置に、特許文献３、特許文献４または特許文献５に記載されたパスワード変更技術を適用すれば、解消することが可能になるかもしれない。
【０００７】
しかしながら、特許文献３、特許文献４または特許文献５に記載された情報処理装置では、情報処理装置に設定された一方的な変更ルールに基づいてパスワードが変更される。このため、パスワードは、ユーザが好まない変更ルールで変更されてしまう可能性がある。したがって、特許文献３、特許文献４または特許文献５に記載されたパスワード変更技術は、必ずしもユーザにとって使い勝手の良いものではない。
【０００８】
本発明の目的は、第三者の操作を抑制でき、かつ、ユーザにとって使い勝手が良い情報処理装置および登録認証情報設定方法を提供することである。
【課題を解決するための手段】
【０００９】
上記の目的を達成するために、本発明の情報処理装置は、認証を行う際に用いられる登録認証情報を複数格納する記憶部と、予め設定されている複数種類の変更モードのいずれか１つを選択することをユーザに促す催促部と、前記複数種類の変更モードのいずれか１つを示す選択情報を前記ユーザから受け付ける受付部と、前記記憶部が格納している登録認証情報のうち認証に用いる登録認証情報を、前記受付部が受け付けた選択情報が示す変更モードに基づいて変更する変更部と、ユーザから入力認証情報を受け付ける入力部と、前記入力部が受け付けた入力認証情報と、前記変更部により変更された登録認証情報とが一致したときに、所定の処理を実行する処理実行部とを含む。
【００１０】
また、本発明の登録認証情報設定方法は、認証を行う際に用いられる登録認証情報を複数格納する記憶部を有する情報処理装置が行う登録認証情報設定方法であって、予め設定されている複数種類の変更モードのいずれか１つを選択することをユーザに促す催促ステップと、前記複数種類の変更モードのいずれか１つを示す選択情報を前記ユーザから受け付ける受付ステップと、前記記憶部が格納している登録認証情報のうち、認証に用いる登録認証情報を前記受付部が受け付けた選択情報が示す変更モードに基づいて変更する変更ステップと、ユーザから入力認証情報を受け付ける入力ステップと、前記入力認証情報と前記変更された登録認証情報とが一致したときに、所定の処理を実行する処理実行ステップとを含む。
【００１１】
上記の発明によれば、登録認証情報は、ユーザから受け付けた選択情報が示す変更モードに基づいて変更される。選択情報は、予め設定されている複数種類の変更モードのいずれか１つを示す。このため、ユーザが好む変更モードに基づいて登録認証情報を変更することが可能になる。また、登録認証情報が変更されるため、第三者の操作を抑制できる。
【００１２】
なお、前記複数種類の変更モードは、２種類の変更モードであることが望ましい。また、前記２種類の変更モードは、前記入力認証情報が前記登録認証情報と一致するごとに前記登録認証情報を変更する第１の変更モードと、時刻に応じて前記登録認証情報を変更する第２の変更モードであることが望ましい。
【００１３】
上記の発明によれば、ユーザは、２種類の変更モードの中から、ユーザが望む変更モードを選択することができる。
【００１４】
また、前記複数種類の変更モードは、３種類の変更モードであることが望ましい。また、前記３種類の変更モードは、前記入力認証情報が前記登録認証情報と一致するごとに前記登録認証情報を変更する第１の変更モードと、時刻に応じて前記登録認証情報を変更する第２の変更モードと、場所に応じて前記登録認証情報を変更する第３の変更モードであることが望ましい。
【００１５】
上記の発明によれば、ユーザは、３種類の変更モードの中から、ユーザが望む変更モードを選択することができる。
【００１６】
また、前記入力部は、タッチパネルであり、前記登録認証情報は、前記タッチパネル上の予め定められた複数の領域を予め定められた順番でタッチすることを示し、前記タッチパネルは、前記入力認証情報として、前記ユーザによる前記タッチパネルのタッチ操作を受け付けることが望ましい。
【００１７】
上記の発明によれば、タッチパネルを有する情報処理装置において、ユーザが好む変更モードに基づいて登録認証情報を変更することが可能になり、また、登録認証情報が変更されるため、第三者の操作を抑制できる。
【００１８】
前記記憶部は、前記変更モードごとに、前記タッチパネル上の予め定められた複数の領域を予め定められた順番でタッチすることを示す複数の登録認証情報を格納し、前記変更部は、前記受付部が前記選択情報を受け付けると、その受け付けた選択情報が示す変更モードに応じた複数の登録認証情報の中から認証に用いる登録認証情報を選定し、前記タッチパネル上にユーザが操作可能な設定用表示部を表示し、その設定用表示部の移動履歴を、前記登録認証情報候補として、前記記憶部に格納する候補設定部を含むことが望ましい。
【００１９】
上記の発明によれば、ユーザは、容易に登録認証情報候補を作成することが可能になる。
【発明の効果】
【００２０】
本発明によれば、ユーザが好む変更モードに基づいて登録認証情報を変更することが可能になる。また、登録認証情報が変更されるため、第三者の操作を抑制できる。
【発明を実施するための最良の形態】
【００２１】
以下、本発明の実施例について図面を参照して説明する。
【００２２】
図１は、本発明の一実施例の情報処理装置を示したブロック図である。
【００２３】
図１において、情報処理装置１は、記憶部１１と、表示部１２と、タッチパネル１３と、表示Ｉ／Ｆ（インターフェース）ドライバ１４と、入力Ｉ／Ｆドライバ１５と、制御部１６と、計時部１７と、バス１８とを含む。制御部１６は、変更部１６ａと、処理実行部１６ｂと、候補設定部１６ｃとを含む。なお、表示部１２とタッチパネル１３とは、一体的に構成されていることが望ましい。
【００２４】
情報処理装置１は、例えば、パソコン、携帯電話機またはナビゲーション装置である。情報処理装置１は、例えば、ユーザの個人情報を格納している。
【００２５】
記憶部１１は、登録認証情報を格納する。さらに言えば、記憶部１１は、認証を行う際に用いられる登録認証情報を複数格納する。記憶部１１は、例えば、タッチパネル１３上の予め定められた複数の領域を予め定められた順番でタッチすることを示す登録認証情報を格納する。
【００２６】
表示部１２は、催促部の一例であり、予め設定されている複数種類の変更モードのいずれか１つを選択することをユーザに促す表示を実行する。例えば、表示部１２は、「予め設定されている複数種類の変更モードのいずれか１つを選択して下さい」という表示を行う。なお、この複数種類の変更モードは、変更部１６ａが実行できる複数種類の変更モードである。
【００２７】
タッチパネル１３は、受付部の一例であり、複数種類の変更モードのいずれか１つを示す選択情報をユーザから受け付ける。
【００２８】
また、タッチパネル１３は、入力部の一例であり、ユーザから入力認証情報を受け付ける。なお、タッチパネル１３は、入力認証情報として、ユーザによるタッチパネル１３のタッチ操作を受け付ける。
【００２９】
表示Ｉ／Ｆドライバ１４は、表示部１２のＩ／Ｆドライバである。入力Ｉ／Ｆドライバ１５は、タッチパネル１３のインターフェースドライバである。
【００３０】
制御部１６は、例えばＣＰＵで、情報処理装置１を制御する。
【００３１】
変更部１６ａは、タッチパネル１３が受け付けた選択情報が示す変更モードで、記憶部１１が格納している登録認証情報を変更する。
【００３２】
本実施例では、変更部１６ａは、第１の変更モードおよび第２の変更モードで、登録認証情報を変更可能である。本実施例では、第１の変更モードは、入力認証情報が登録認証情報と一致するごとに登録認証情報を変更する変更モード（以下「循環モード」と称する。）であり、第２の変更モードは、時刻に応じて登録認証情報を変更する変更モード（以下「時刻モード」と称する。）である。
【００３３】
処理実行部１６ｂは、タッチパネル１３が受け付けた入力認証情報が、変更部１６ａが変更した登録認証情報と一致したときに、所定の処理を実行する。所定の処理は、例えば、所定のアプリケーションに基づく処理である。なお、処理実行部１６ｂは、タッチパネル１３が受け付けた入力認証情報が、変更部１６ａが変更した登録認証情報と一致しない場合、その所定の処理を実行しない。
【００３４】
本実施例では、記憶部１１は、変更モード（モード）ごとに、タッチパネル１３上の予め定められた複数の領域を予め定められた順番でタッチすることを示す複数の登録認証情報候補を格納する。記憶部１１は、その複数の登録認証情報候補のうち１つを登録認証情報とする。
【００３５】
図２は、循環モード時のタッチパネル１３の分割例を示した説明図である。この場合、タッチパネル１３は、図２に示すように１２の領域（領域１〜領域１２）に分割される。
【００３６】
図３は、循環モードに対応する複数の登録認証情報候補１１ａの一例を示す説明図である。図３において、記憶部１１は、登録認証情報候補１１ａ１〜登録認証情報候補１１ａ４を格納する。
【００３７】
登録認証情報候補１１ａ１（パターン順１）は、領域１、領域５、領域９、領域１１の順にタッチパネル１３をタッチすることを示す。図４は、登録認証情報候補１１ａ１を示す説明図である。
【００３８】
登録認証情報候補１１ａ２（パターン順２）は、領域１、領域５、領域９、領域７の順にタッチパネル１３をタッチすることを示す。図５は、登録認証情報候補１１ａ２を示す説明図である。
【００３９】
登録認証情報候補１１ａ３（パターン順３）は、領域１、領域５、領域９、領域３の順にタッチパネル１３をタッチすることを示す。図６は、登録認証情報候補１１ａ３を示す説明図である。
【００４０】
登録認証情報候補１１ａ４（パターン順４）は、領域１、領域５、領域９、領域７、領域１１の順にタッチパネル１３をタッチすることを示す。図７は、登録認証情報候補１１ａ４を示す説明図である。
【００４１】
循環モードが設定されていると、変更部１６ａは、入力認証情報が登録認証情報と一致するごとに、登録認証情報を図３に示したパターン順に変更していく。なお、変更部１６ａは、パターン順４の次にパターン順１を登録認証情報として設定する。
【００４２】
図８は、時刻モード時のタッチパネル１３の分割例を示した説明図である。この場合、タッチパネル１３は、図８に示すように１５の領域（領域１〜領域１２および領域Ａ〜領域Ｃ）に分割される。
【００４３】
図９は、時刻モードに対応する複数の登録認証情報候補１１ｂの一例を示す説明図である。図９において、記憶部１１は、登録認証情報候補１１ｂ１〜登録認証情報候補１１ｂ１２を格納する。
【００４４】
登録認証情報候補１１ｂ１は、１時台には領域１、領域Ａ、領域Ｂ、領域Ｃの順にタッチパネル１３をタッチすることを示す。図１０は、登録認証情報候補１１ｂ１を示す説明図である。
【００４５】
登録認証情報候補１１ｂ２は、２時台には領域２、領域Ａ、領域Ａ、領域Ｃの順にタッチパネル１３をタッチすることを示す。図１１は、登録認証情報候補１１ｂ２を示す説明図である。
【００４６】
登録認証情報候補１１ｂ３は、３時台にタッチパネル１３の領域３をタッチすることを示し、登録認証情報候補１１ｂ４は、４時台にタッチパネル１３の領域４をタッチすることを示し、登録認証情報候補１１ｂ５は、５時台にタッチパネル１３の領域５をタッチすることを示す。
【００４７】
また、登録認証情報候補１１ｂ６は、６時台にタッチパネル１３の領域６をタッチすることを示し、登録認証情報候補１１ｂ７は、７時台にタッチパネル１３の領域７をタッチすることを示し、登録認証情報候補１１ｂ８は、８時台にタッチパネル１３の領域８をタッチすることを示す。
【００４８】
また、登録認証情報候補１１ｂ９は、９時台にタッチパネル１３の領域９をタッチすることを示し、登録認証情報候補１１ｂ１０は、１０時台にタッチパネル１３の領域１０をタッチすることを示し、登録認証情報候補１１ｂ１１は、１１時台にタッチパネル１３の領域１１をタッチすることを示し、登録認証情報候補１１ｂ１２は、１２時台にタッチパネル１３の領域１２をタッチすることを示す。
【００４９】
図１に戻って、変更部１６ａは、タッチパネル１３が選択情報を受け付けると、その受け付けた選択情報が示す変更モードに応じた複数の登録認証情報候補の中から所望の登録認証情報候補を選定する。変更部１６ａは、その選定した登録認証情報候補を変更後の登録認証情報とする。
【００５０】
候補設定部１６ｃは、タッチパネル１３上にユーザが操作可能な設定用表示部を表示し、その設定用表示部の移動履歴を、登録認証情報候補として、記憶部１１に格納する。
【００５１】
計時部１７は、タイマーとして動作し、さらに、時刻を示す時刻情報を出力する。
【００５２】
次に、動作の概要を説明する。
【００５３】
ユーザがタッチパネル１３の画面をタッチすると、処理実行部１６ｂは、ユーザが事前に指定した変更モードに対応する領域をタッチパネル１３に設定し、計時部１７をタイマーとして動作させる。このとき、表示部１２は、黒色の面または予め設定されたスクリーンセイバーを表示することが好ましい。
【００５４】
ユーザは、タッチパネル１３の画面をタッチして入力認証情報を入力する。
【００５５】
処理実行部１６ｂは、入力認証情報が登録認証情報と一致したときに、計時部１７の動作を停止し、所定の処理（例えば、表示部１２に所定の表示を実行させる処理）を実行する。
【００５６】
一方、入力認証情報が登録認証情報と一致しない場合、または、計時部１７の値が所定の設定時間を超えた場合、処理実行部１６ｂは、所定の処理を実行せず、入力認証情報受け付け状態に戻る。
【００５７】
また、ユーザが情報処理装置１の使用を終了するための操作を行うと、表示部１２は、予め設定されている複数種類の変更モードのいずれか１つを選択することをユーザに促す表示を実行する。
【００５８】
ユーザは、この表示にしたがって、複数種類の変更モードのいずれか１つを示す選択情報をタッチパネル１３に入力する。タッチパネル１３は、その選択情報を受け付け、その受け付けた選択情報を変更部１６ａに出力する。
【００５９】
変更部１６ａは、タッチパネル１３から選択情報を受け付けると、その選択情報が示す変更モードで、記憶部１１が格納している登録認証情報を変更する。変更部１６ａは、その変更後の登録認証情報を表示部１２に表示させて、その変更後の登録認証情報をユーザに確認させる。
【００６０】
次に、動作を説明する。
【００６１】
図１２は、主に処理実行部１６ｂの動作を説明するためのフローチャートである。以下、図１２を参照して、主に処理実行部１６ｂの動作を説明する。
【００６２】
ステップ１２０１では、ユーザがタッチパネル１３の画面をタッチすると、タッチパネル１３は、そのユーザのタッチを受け付け、その受け付けたタッチを、入力Ｉ／Ｆドライバ１５およびバス１８を介して、処理実行部１６ｂに通知する。処理実行部１６ｂは、この通知を受け付けると、ステップ１２０２を実行する。
【００６３】
ステップ１２０２では、処理実行部１６ｂは、ユーザが事前に指定した変更モードに対応するモード（循環モードまたは時刻モード）を設定し、その設定したモードに応じてタッチパネル１３を複数の領域に分割する。
【００６４】
具体的には、処理実行部１６ｂは、循環モードを設定すると、タッチパネル１３を図２に示すような１２個の領域に分割し、また、時刻モードを設定すると、タッチパネル１３を図８に示すような１５個の領域に分割する。このとき、表示部１２は、黒色の面または予め設定されたスクリーンセイバーを表示することが好ましい。
【００６５】
変更部１６ａは、循環モードが設定されると、事前に設定した登録認証情報１１ａを選択し、また、時刻モードが設定されると、計時部１７の時刻情報が示す時刻に応じた登録認証情報候補１１ｂを選択し、その選択した登録認証情報候補１１ｂを登録認証情報とする。
【００６６】
処理実行部１６ｂは、ステップ１２０２を終了すると、ステップ１２０３を実行する。
【００６７】
ステップ１２０３では、処理実行部１６ｂは、計時部１７をタイマーとして動作させる。
【００６８】
ステップ１２０４では、タッチパネル１３の操作が登録認証情報に対応するように、ユーザがタッチパネル１３を操作して、タッチパネル１３に入力認証情報を入力すると、タッチパネル１３は、その入力認証情報を、入力Ｉ／Ｆドライバ１５およびバス１８を介して、処理実行部１６ｂに通知する。処理実行部１６ｂは、この通知を受け付けると、ステップ１２０５を実行する。
【００６９】
ステップ１２０５では、処理実行部１６ｂは、タッチパネル１３が受け付けた入力認証情報が、記憶部１１が記憶する登録認証情報と一致しているか否かを判断する。具体的には、処理実行部１６ｂは、入力認証情報が示すユーザのタッチパネル１３の操作が、登録認証情報が示すタッチパネル１３の操作順に一致しているか否かを判断する。
【００７０】
処理実行部１６ｂは、入力認証情報が登録認証情報に一致しているとステップ１２０６を実行し、入力認証情報が登録認証情報に一致していないとステップ１２０７を実行する。
【００７１】
ステップ１２０６では、処理実行部１６ｂは、計時部１７の値が設定時間以内であるか否か判断する。処理実行部１６ｂは、計時部１７の値が設定時間以内であるとステップ１２０８を実行し、計時部１７の値が設定時間以内でないとステップ１２０７を実行する。
【００７２】
ステップ１２０７では、処理実行部１６ｂは、計時部１７をオフにし、その後、ステップ１２０９を実行する。
【００７３】
ステップ１２０９では、処理実行部１６ｂは、動作をステップ１２０１に戻す。このため、情報処理部１は、所定の処理を実行しない。
【００７４】
一方、ステップ１２０８では、処理実行部１６ｂは、表示ドライバＩ／Ｆドライバ１４を起動し、表示部１２に所定の表示を実行させる。情報処理装置１は、この時点からユーザによって使用可能になる。
【００７５】
情報処理装置１の動作が終了するように、ユーザが情報処理装置１を操作すると、情報処理装置１は、次回起動時の登録認証情報の設定を促す処理（モード変更処理）を実行する。
【００７６】
図１３は、モード変更処理を説明するためのフローチャートである。以下、図１３を参照して、モード変更処理を説明する。
【００７７】
変更部１６ａは、情報処理装置１の動作が終了するようにユーザが情報処理装置１を操作すると、表示部１２に、循環モードと時刻モードのいずれか１つを選択することをユーザに促す表示を実行させる。
【００７８】
ユーザは、この表示にしたがって、循環モードと時刻モードのいずれか１つを示す選択情報をタッチパネル１３に入力する。タッチパネル１３は、その選択情報を受け付け、その受け付けた選択情報を変更部１６ａに出力する。
【００７９】
変更部１６ａは、その選択情報を受け付けると、ステップ１３０１を実行する。
【００８０】
ステップ１３０１では、変更部１６ａは、その選択情報が循環モードを示しているか否かを判断する。変更部１６ａは、その選択情報が循環モードを示しているとステップ１３０２を実行し、その選択情報が循環モードを示していないとステップ１３０３を実行する。
【００８１】
ステップ１３０２では、変更部１６ａは、処理実行部１６ｂに循環モードを設定させ、循環モードに対応する複数の登録認証情報候補１１ａの中から、現在選択されている登録認証情報候補の次の順番（パターン順）の登録認証情報候補を登録認証情報として選択する。
【００８２】
例えば、情報処理装置１の動作が終了する前の登録認証情報が、登録認証情報候補１１ａ１（パターン順１）である場合、変更部１６ａは、次回の登録認証情報として、登録認証情報候補１１ａ２（パターン順２）を選択する。
【００８３】
変更部１６ａは、ステップ１３０２を終了すると、ステップ１３０４を実行する。
【００８４】
ステップ１３０４では、変更部１６ａは、変更後の登録認証情報を表示部１２に表示する。ユーザは、ステップ１３０４で表示された変更後の登録認証情報を確認する。変更部１６ａは、ステップ１３０４を終了すると、ステップ１３０５を実行する。
【００８５】
一方、ステップ１３０３では、変更部１６ａは、その受け付けた選択情報が時刻モードを示していると判断して処理実行部１６ｂに時刻モードを設定させ、その後、ステップ１３０５を実行する。
【００８６】
ステップ１３０５では、変更部１６ａは、登録認証情報または登録認証情報候補を変更するか否かをユーザに問い合わせる表示を、表示部１２に実行させる。
【００８７】
ユーザは、登録認証情報および登録認証情報候補を変更しない場合、その旨をタッチパネル１３に入力し、また、登録認証情報または登録認証情報候補を変更する場合、その旨をタッチパネル１３に入力する。タッチパネル１３は、その入力を、入力Ｉ／Ｆドライバ１５およびバス１８を介して変更部１６ａに出力する。
【００８８】
変更部１６ａは、登録認証情報および登録認証情報候補を変更しない旨の入力を受け付けると、動作を終了する。
【００８９】
一方、変更部１６ａは、登録認証情報または登録認証情報候補を変更する旨の入力を受け付けると、ステップ１３０６を実行する。
【００９０】
ステップ１３０６では、変更部１６ａは、登録認証情報または登録認証情報候補を変更する旨の入力を候補設定部１６ｃに出力する。
【００９１】
候補設定部１６ｃは、登録認証情報または登録認証情報候補を変更する旨の入力を受け付けると、ユーザに、変更する登録認証情報または登録認証情報候補を選択させ、その後、タッチパネル１３上にユーザが操作可能な設定用表示部Ｐを表示し、その設定用表示部Ｐの移動履歴を、変更後の登録認証情報または登録認証情報候補として、記憶部１１に格納する。
【００９２】
具体的には、候補設定部１６ｃは、ユーザに、変更する登録認証情報または登録認証情報候補を選択させた後、選択情報が示すモードに応じてタッチパネル１３を複数の領域に分割する。候補設定部１６ｃは、タッチパネル１３上にユーザが操作可能な設定用表示部Ｐを表示する。
【００９３】
図１４は、設定用表示部Ｐの一例を示した説明図である。
【００９４】
例えば、ユーザは、タッチパネル１３を操作して設定用表示部Ｐを移動し、登録認証情報または登録認証情報候補を設定していく（図１５参照）。なお、ユーザは、設定用表示部Ｐを移動させたい位置でダブルクリックして、設定用表示部Ｐをその位置に移動させてもよい。
【００９５】
ユーザは、上記の操作を繰り返して、登録認証情報または登録認証情報候補の入力順に対応する領域を確定していく。候補設定部１６ｃは、その確定した入力順に対応する領域を、ユーザが変更を指定した登録認証情報または登録認証情報候補に格納していく。
【００９６】
変更部１６ｂは、候補設定部１６ｃが実行するステップ１３０６が終了すると、ステップ１３０７を実行する。
【００９７】
ステップ１３０７では、変更部１６ａは、変更後の登録認証情報または登録認証情報候補を表示部１２に表示する。ユーザは、ステップ１３０４で表示された変更後の登録認証情報を確認する。変更部１６ａは、ステップ１３０７を終了すると、動作を終了する。
【００９８】
本実施例によれば、登録認証情報に応じた入力認証情報が入力されなければ、処理画面は表示されない。このため、情報処理装置１を動作させる仕組みを知らない第３者が情報処理装置１を起動させようとしても、情報処理装置１をどのようにして動作させるか不明であり、情報処理装置１が第三者によって操作されることを抑制できる。
【００９９】
また、タッチパネル１３に対して何らかの入力を行えば所定の処理画面が始まることを第三者が知っていても、登録認証情報が知られなければ、第三者は、情報処理装置１を操作できない。
【０１００】
また、利用者は利用者が理解できる変更モードで登録認証情報を変更できるため、利用者の負担も軽くなり、利用者の使い勝手も良くなる。
【０１０１】
また、利用後に次回の登録認証情報が変更されるため、起動の手順を見られても、見られた手順と次回の登録認証情報とが異なっていれば、見られた手順と同じ操作では第三者は、情報処理装置１を操作できない。
【０１０２】
また、本実施例では、複数種類の変更モードは、２種類の変更モードである。また、２種類の変更モードは、入力認証情報が登録認証情報と一致するごとに登録認証情報を変更する循環モードと、時刻に応じて登録認証情報を変更する時刻モードである。この場合、ユーザは、２種類の変更モードの中から、ユーザが望む変更モードを選択することができる。
【０１０３】
次に、他の実施例を説明する。
【０１０４】
図１６は、他の実施例を示したブロック図である。なお、図１６において、図１に示したものと同一構成のものには同一符号を付してある。
【０１０５】
図１６に示した他の実施例は、図１に示した実施例に、無線部および位置情報入手部１９を新たに付加した情報処理装置であり、登録認証情報が場所に応じて変更する。
【０１０６】
具体的には、図１６に示した他の実施例は、第３の変更モード（位置モード）をさらに有し、この位置モードが選択された際に、登録認証情報が場所に応じて変更する。
【０１０７】
図１６において、無線部および位置情報入手部１９は、情報処理装置１の現在位置を示す位置情報を取得する。
【０１０８】
無線部および位置情報入手部１９は、例えば、携帯電話無線部と位置情報入手部とを含み、位置情報入手部は、携帯電話無線部が受信した基地局の位置情報を取得する。無線部および位置情報入手部１９は、情報処理装置１が動作を終了する時点で取得した位置情報を記憶部１１に格納する。
【０１０９】
位置情報は、例えば、基地局のＩＤ番号である。本実施例では、記憶部１１は、情報処理装置１が受信できる基地局のＩＤ番号を１件以上記憶しておく。
【０１１０】
なお、無線部および位置情報入手部１９は、ＧＰＳを搭載してもよい。この場合、位置情報としてＧＰＳの位置情報である緯度経度情報が複数個、記憶部１１に格納される。
【０１１１】
図１７は、記憶部１１に格納された位置情報の一例を示す説明図である。
【０１１２】
図１７において、位置名「Ｔ駅構内」は、複数の基地局ＩＤ（＊＊＊＊、＊＊＊△および＊＊＊□）と関連づけられている。また、位置名「Ｎ社内」は、複数の基地局ＩＤ（＊＊○○、＊＊××）と関連づけられている。
【０１１３】
図１８は、位置モードに対応する複数の登録認証情報候補１１ｃの一例を示す説明図である。図１８において、記憶部１１は、登録認証情報候補１１ｃ１〜登録認証情報候補１１ｃ２を格納する。
【０１１４】
登録認証情報候補１１ｃ１は、Ｔ駅構内では、予めユーザが定めた領域１〜５の順にタッチパネル１３をタッチすることを示す。図１９は、登録認証情報候補１１ｃ１を示す説明図である。なお、領域１〜５は、図１４および図１５に示したように、ユーザによって設定される。
【０１１５】
登録認証情報候補１１ｃ２は、Ｎ社内では、予めユーザが定めた領域１〜５の順にタッチパネル１３をタッチすることを示す。図２０は、登録認証情報候補１１ｃ２を示す説明図である。なお、領域１〜５は、図１４および図１５に示したように、ユーザによって設定される。
【０１１６】
次に、動作を説明する。
【０１１７】
図２１は、他の実施例の動作を説明するためのフローチャートである。なお、図２１において、図１３に示したステップと同じステップには同一符号を付してある。
【０１１８】
ステップ１３０１では、変更部１６ａは、その選択情報が循環モードを示しているか否かを判断する。変更部１６ａは、その選択情報が循環モードを示しているとステップ１３０２を実行し、その選択情報が循環モードを示していないとステップ２１０１を実行する。
【０１１９】
ステップ２１０１では、変更部１６ａは、その選択情報が時刻モードを示しているか否かを判断する。変更部１６ａは、その選択情報が時刻モードを示しているとステップ１３０３を実行し、その選択情報が時刻モードを示していないとステップ２１０２を実行する。
【０１２０】
ステップ２１０２では、変更部１６ａは、処理実行部１６ｂに位置モードを設定させる。
【０１２１】
図２２は、ステップ２１０２の一例を説明するためのフローチャートである。以下、図２２を参照して、ステップ２１０２の一例を説明する。
【０１２２】
ステップ２２０１では、変更部１６ａは、位置モードの登録認証情報候補１１ｃを設定するか否かをユーザに問い合わせる表示を、表示部１２に実行させる。
【０１２３】
ユーザは、登録認証情報候補１１ｃを設定しない場合、その旨をタッチパネル１３に入力し、また、登録認証情報候補１１ｃを設定する場合、その旨をタッチパネル１３に入力する。タッチパネル１３は、その入力を、入力Ｉ／Ｆドライバ１５およびバス１８を介して変更部１６ａに出力する。
【０１２４】
変更部１６ａは、登録認証情報候補１１ｃを設定しない旨の入力を受け付けると、ステップ２２０２を実行する。
【０１２５】
ステップ２２０２では、変更部１６ａは、処理実行部１６ｂに位置モードを設定させる。その後、変更部１６ａは、ステップ２１０２を終了する。
【０１２６】
一方、変更部１６ａは、登録認証情報候補１１ｃを設定する旨の入力を受け付けると、その旨を候補設定部１６ｃに通知する。候補設定部１６ｃは、この通知を受け付けると、ステップ２２０３を実行する。
【０１２７】
ステップ２２０３では、候補設定部１６ｃは、無線部および位置情報入手部１９から位置情報（基地局ＩＤ番号）を受け取り、その受け取った位置情報を位置名として記憶部１１に格納する。候補設定部１６ｃは、ステップ２２０３を終了すると、ステップ２２０４を実行する。
【０１２８】
ステップ２２０４では、候補設定部１６ｃは、タッチパネル１３上にユーザが操作可能な設定用表示部Ｐを表示する。ユーザは、その設定用表示部Ｐを移動させて、ステップ２２０３で格納した位置情報に対応する入力順を設定していく（図１８参照）。候補設定部１６ｃは、その設定用表示部Ｐの移動履歴を逐次記憶する。
【０１２９】
候補設定部１６ｃは、ステップ２２０４を終了すると、ステップ２２０５を実行する。
【０１３０】
ステップ２２０５では、候補設定部１６ｃは、タッチパネル１３を介してユーザから設定終了を入力されたか否かを判断する。候補設定部１６ｃは、設定終了が入力されていないと再びステップ２２０４を実行し、また、設定終了が入力されているとステップ２２０６を実行する。
【０１３１】
ステップ２２０６では、候補設定部１６ｃは、ステップ２２０４で受け付けた設定用表示部Ｐの移動履歴を、ステップ２２０３で格納した位置情報に関連づけて記憶部１１に格納する。
【０１３２】
具体的には、候補設定部１６ｃは、図１４および図１５で示したように設定用表示部Ｐの移動履歴を受け付け、その受け付けた設定用表示部Ｐの移動履歴を、ステップ２２０３で格納した位置情報に関連づけて記憶部１１に格納する。
【０１３３】
候補設定部１６ｃは、ステップ２２０６を終了すると、ステップ２２０２を実行する。
【０１３４】
なお、位置名は表示用であり、位置名をユーザが入力設定してもよいが、特にＴ、Ｎというように、候補設定部１６ｃが位置名を自動的に設定してもよい。
【０１３５】
また、図１６に示した実施例では、図１２を用いて説明した動作が実行される際、ステップ１２０２が以下のように変更される。
【０１３６】
ステップ１２０２では、処理実行部１６ｂは、ユーザが事前に指定した変更モードに対応するモード（循環モード、時刻モードまたは位置モード）を設定し、その設定したモードに応じてタッチパネル１３を複数の領域に分割する。
【０１３７】
具体的には、処理実行部１６ｂは、循環モードを設定すると、タッチパネル１３を図２に示すような１２個の領域に分割し、また、時刻モードを設定すると、タッチパネル１３を図８に示すような１５個の領域に分割する。また、位置モードを設定すると、タッチパネル１３をその位置を示す位置情報に対応する領域に分割する。
【０１３８】
変更部１６ａは、循環モードが設定されると、事前に設定した登録認証情報１１ａを選択し、また、時刻モードが設定されると、計時部１７の時刻情報が示す時刻に応じた登録認証情報候補１１ｂを選択し、その選択した登録認証情報候補１１ｂを登録認証情報とする。
【０１３９】
また、変更部１６ａは、位置モードが設定されると、無線部および位置情報入手部１９が入手した位置情報を示す位置名を有する登録認証情報候補１１ｃを選択し、その選択した登録認証情報候補１１ｃを登録認証情報とする。
【０１４０】
例えば、位置モードが選択され、現在の場所がＴ駅構内であると、無線部および位置情報入手部１９が入手した位置情報に基づいて、図１８に示した登録認証情報候補１１ｃ１が登録認証情報として選択される。その後、ユーザが図１９に示す入力認証情報のようにタッチパネル１３を操作すると、処理実行部１６ｂは、表示Ｉ／Ｆドライバ１４を起動して、表示部１２に所望の表示を行い、情報処理装置１が動作できる状態にする。
【０１４１】
また、情報処理装置１がＴ駅構内からＮ社内へ移動され、情報処理装置１がＮ社内にて使用される場合は、無線部および位置情報入手部１９が入手した位置情報に基づいて、図１８に示した登録認証情報候補１１ｃ２が登録認証情報として選択される。その後、ユーザが図２０に示す入力認証情報のようにタッチパネル１３を操作すると、処理実行部１６ｂは、表示Ｉ／Ｆドライバ１４を起動して、表示部１２に所望の表示を行い、情報処理装置１を動作できる状態にする。
【０１４２】
なお、上記の例では、位置情報に応じて、登録認証情報を変更する例を示したが、位置情報に応じて登録認証情報を変更させるだけではなく、位置情報をパスワードとして要求するようにしてもよい。この場合、情報処理装置は、その位置のみでしか使用できなくなり、盗まれて別の位置へ移動した場合は全く使用できなくなる。
【０１４３】
また、位置情報に応じて、登録認証情報を変更するが、この位置情報の判断において位置情報は１つでも良いし、または２つ以上一致した場合として判断をきびしくしてもよい。
【０１４４】
この実施例では、ある場所にて入力操作が第三者に盗み見られ、その第三者が情報処理装置を盗んで別の場所で使用しようとしても、使用する位置で登録認証情報が異なるため、その第三者の使用を抑制可能になる。
【０１４５】
また、この実施例では、複数種類の変更モードは、３種類の変更モードである。この３種類の変更モードは、入力認証情報が登録認証情報と一致するごとに登録認証情報を変更する循環モードと、時刻に応じて登録認証情報を変更する時刻モードと、場所に応じて登録認証情報を変更する位置モードである。この場合、ユーザは、３種類の変更モードの中から、ユーザが望む変更モードを選択することができる。
【０１４６】
上記の各実施例では、変更部１６ａは、登録認証情報を、ユーザから受け付けた選択情報が示す変更モードで変更する。選択情報は、予め設定されている複数種類の変更モードのいずれか１つを示す。このため、ユーザが好む変更モードに基づいて登録認証情報を変更することが可能になる。また、登録認証情報が変更されるため、第三者の操作を抑制できる。
【０１４７】
また、上記の各実施例では、入力部は、タッチパネル１３が入力部として用いられ、登録認証情報は、タッチパネル１３上の予め定められた複数の領域を予め定められた順番でタッチすることを示し、タッチパネル１３は、入力認証情報として、ユーザによるタッチパネル１３のタッチ操作を受け付ける。このため、タッチパネルを有する情報処理装置において、ユーザが好む変更モードに基づいて登録認証情報を変更することが可能になり、また、登録認証情報が変更されるため、第三者の操作を抑制できる。
【０１４８】
また、上記の各実施例では、記憶部１１は、変更モードごとに、タッチパネル１３上の予め定められた複数の領域を予め定められた順番でタッチすることを示す複数の登録認証情報候補を格納する。
【０１４９】
変更部１６ａは、タッチパネル１３が選択情報を受け付けると、その受け付けた選択情報が示す変更モードに応じた複数の登録認証情報候補の中から所望の登録認証情報候補を選定し、その選定した登録認証情報候補を変更後の登録認証情報とする。
【０１５０】
候補設定部１６ｃは、タッチパネル１３上にユーザが操作可能な設定用表示部Ｐを表示し、その設定用表示部Ｐの移動履歴を、登録認証情報候補として、記憶部１１に格納する。
【０１５１】
この場合、ユーザは、容易に登録認証情報候補を作成することが可能になる。
【０１５２】
なお、本発明は、タッチパネルを利用して種々の入力を受け付ける情報処理装置の画面起動方法に用いられることが好ましい。
【０１５３】
以上説明した各実施例において、図示した構成は単なる一例であって、本発明はその構成に限定されるものではない。
【０１５４】
例えば、複数種類の変更モードは、４種類以上の変更モードでもよい。
【図面の簡単な説明】
【０１５５】
【図１】本発明の一実施例の情報処理装置を示したブロック図である。
【図２】タッチパネル１３の分割の一例を示した説明図である。
【図３】登録認証情報候補の一例を示した説明図である。
【図４】登録認証情報候補の一例を示した説明図である。
【図５】登録認証情報候補の一例を示した説明図である。
【図６】登録認証情報候補の一例を示した説明図である。
【図７】登録認証情報候補の一例を示した説明図である。
【図８】タッチパネル１３の分割の一例を示した説明図である。
【図９】登録認証情報候補の一例を示した説明図である。
【図１０】登録認証情報候補の一例を示した説明図である。
【図１１】登録認証情報候補の一例を示した説明図である。
【図１２】情報処理装置の動作を説明するためのフローチャートである。
【図１３】情報処理装置の動作を説明するためのフローチャートである。
【図１４】登録認証情報候補の作成例を説明するための説明図である
【図１５】登録認証情報候補の作成例を説明するための説明図である
【図１６】本発明の他の実施例の情報処理装置を示したブロック図である。
【図１７】位置情報の一例を示した説明図である。
【図１８】登録認証情報候補の一例を示した説明図である。
【図１９】登録認証情報候補の一例を示した説明図である。
【図２０】登録認証情報候補の一例を示した説明図である。
【図２１】情報処理装置の動作を説明するためのフローチャートである。
【図２２】情報処理装置の動作を説明するためのフローチャートである。
【符号の説明】
【０１５６】
１      情報処理装置
１１    記憶部
１２    表示部
１３    タッチパネル
１４    表示Ｉ／Ｆドライバ
１５    入力Ｉ／Ｆドライバ
１６    制御部
１６ａ  変更部
１６ｂ  処理実行部
１６ｃ  候補設定部
１７    計時部
１８    バス
１９    無線部および位置情報入手部
【図１】
2006146660.tif 000003
【図２】
2006146660.tif 000004
【図３】
2006146660.tif 000005
【図４】
2006146660.tif 000006
【図５】
2006146660.tif 000007
【図６】
2006146660.tif 000008
【図７】
2006146660.tif 000009
【図８】
2006146660.tif 000010
【図９】
2006146660.tif 000011
【図１０】
2006146660.tif 000012
【図１１】
2006146660.tif 000013
【図１２】
2006146660.tif 000014
【図１３】
2006146660.tif 000015
【図１４】
2006146660.tif 000016
【図１５】
2006146660.tif 000017
【図１６】
2006146660.tif 000018
【図１７】
2006146660.tif 000019
【図１８】
2006146660.tif 000020
【図１９】
2006146660.tif 000021
【図２０】
2006146660.tif 000022
【図２１】
2006146660.tif 000023
【図２２】
2006146660.tif 000024